(57)【特許請求の範囲】
【請求項１】
複数の原写真画像から選択され、画像処理を施された第１写真画像がテンプレートの画像枠に嵌め込まれ、前記テンプレートのテキスト枠に第１文字列が嵌め込まれ、単一ファイルに変換されてなる入稿データと前記複数の原写真画像に関するデータとを記憶する記憶部と、
前記入稿データから前記第１写真画像を分離し、前記画像枠を同定する手段と、
前記複数の原写真画像から、前記分離された第１写真画像に対応する特定の原写真画像を抽出する抽出手段と、
前記特定の原写真画像に対してユーザ指示に従って画像処理を実行し、第２写真画像を生成する画像処理手段と、
前記第２写真画像を前記入稿データの前記画像枠に嵌め込み、前記入稿データを再生成する手段とを備えた、入稿データ再編集装置。
【請求項２】
前記画像処理手段は前記特定の原写真画像に対して拡大／縮小処理又はトリミング処理を実行する請求項１記載の入稿データ再編集装置。
【請求項３】
前記抽出手段は、前記複数の原写真画像各々に対して前記第１写真画像を相対的に移動しながら各位置で差分し、差分の二乗和に基づいて前記特定の原写真画像を特定する請求項１記載の入稿データ再編集装置。
【請求項４】
前記入稿データから前記第１文字列を分離し、前記テキスト枠を同定する手段と、
前記第１文字列に対してユーザ指示に従って文字フォントを選択し、文字サイズを調整し又は文字修飾を設定して、第２文字列を生成する手段と、
前記第２文字列を前記入稿データの前記テキスト枠に嵌め込む手段とをさらに備えた請求項１記載の入稿データ再編集装置。
【請求項５】
外部サーバから、複数の原写真画像から選択され、画像処理を施された第１写真画像がテンプレートの画像枠に嵌め込まれ、前記テンプレートのテキスト枠に第１文字列が嵌め込まれてなる単一ファイルとしての入稿データと前記複数の原写真画像に関するデータとを受信し記憶するステップと、
前記入稿データから前記第１写真画像を分離し、前記画像枠を同定するステップと、
前記複数の原写真画像から、前記分離された第１写真画像に対応する特定の原写真画像を抽出するステップと、
前記特定の原写真画像に対してユーザ指示に従って画像処理を実行し、第２写真画像を生成するステップと、
前記第２写真画像を前記入稿データの前記画像枠に嵌め込み、前記入稿データを再生成するステップとを含む、入稿データ再編集方法。
【請求項６】
外部サーバから、複数の原写真画像から選択され、画像処理を施された第１写真画像がテンプレートの画像枠に嵌め込まれ、前記テンプレートのテキスト枠に第１文字列が嵌め込まれてなる単一ファイルとしての入稿データと前記複数の原写真画像に関するデータとを受信し記憶部に記憶させる手段と、
前記入稿データから前記第１写真画像を分離し、前記画像枠を同定する手段と、
前記複数の原写真画像から、前記分離された第１写真画像に対応する特定の原写真画像を抽出する手段と、
前記特定の原写真画像に対してユーザ指示に従って画像処理を実行し、第２写真画像を生成する手段と、
前記第２写真画像を前記入稿データの前記画像枠に嵌め込み、前記入稿データを再生成する手段とをコンピュータに実現させるためのプログラム。
【請求項７】
複数の原写真画像から選択され、画像処理を施された第１写真画像がテンプレートの画像枠に嵌め込まれ、前記テンプレートのテキスト枠に第１文字列が嵌め込まれてなる単一ファイルとしての入稿データと前記複数の原写真画像に関するデータとを記憶する記憶部と、
前記入稿データから前記第１写真画像を分離し、前記画像枠を同定する手段と、
前記複数の原写真画像から前記第１写真画像に対応する特定の原写真画像を抽出する手段と、
前記特定の原写真画像又は前記複数の原写真画像からユーザ指示に従って選択された他の原写真画像に対して画像処理を実行し、第２写真画像を生成する画像処理手段と、
前記第２写真画像を前記入稿データの前記画像枠に嵌め込み、前記入稿データを再生成する手段とを備えた、入稿データ再編集装置。
【請求項８】
外部サーバから、複数の原写真画像から選択され、画像処理を施された第１写真画像がテンプレートの画像枠に嵌め込まれ、前記テンプレートのテキスト枠に第１文字列が嵌め込まれてなる単一ファイルとしての入稿データと前記複数の原写真画像に関するデータとを受信し記憶するステップと、
前記入稿データから前記第１写真画像を分離し、前記画像枠を同定するステップと、
前記複数の原写真画像から前記第１写真画像に対応する特定の原写真画像を抽出するステップと、
前記特定の原写真画像又は前記複数の原写真画像からユーザ指示に従って選択された他の原写真画像に対して画像処理を実行し、第２写真画像を生成するステップと、
前記第２写真画像を前記入稿データの前記画像枠に嵌め込み、前記入稿データを再生成するステップとを含む、入稿データ再編集方法。
【請求項９】
複数の原写真画像から選択され、画像処理を施された第１写真画像がテンプレートの画像枠に嵌め込まれ、前記テンプレートのテキスト枠に第１文字列が嵌め込まれてなる単一ファイルとしての入稿データと前記複数の原写真画像に関するデータとを記憶部に記憶させる手段と、
前記入稿データから前記第１写真画像を分離し、前記画像枠を同定する手段と、
前記複数の原写真画像から前記第１写真画像に対応する特定の原写真画像を抽出する手段と、
前記特定の原写真画像又は前記複数の原写真画像からユーザ指示に従って選択された他の原写真画像に対して画像処理を実行し、第２写真画像を生成する画像処理手段と、
前記第２写真画像を前記入稿データの前記画像枠に嵌め込み、前記入稿データを再生成する手段とをコンピュータに実現させるためのプログラム。
【発明の詳細な説明】
【技術分野】
【０００１】
本発明は、フォトブックの入稿データを再編集する入稿データ再編集装置、方法及びプログラムに関する。
【背景技術】
【０００２】
結婚式、七五三、成人式、その他イベントや家族撮影などの機会に、フォトグラファー等の撮影事業者が、顧客からの注文を受けて撮影を行うケースにおいて、撮影されたデータの全部または一部の写真を収めたアルバムやフォトブックの作成依頼を顧客から受けることがある。
【０００３】
その際、事業者は、写真編集やDTPソフトなどを使い顧客の写真を、アルバムまたはフォトブックの表紙、ページ等にレイアウトし、印刷を委託する製本メーカーが受け付けるjpegまたはpdfなどの汎用規格ファイル形式で出力する。通常は、１ページまたは１見開き（２ページ）が１つのファイルとなり、ページ分の複数ファイルにて印刷工程への受け渡しデータ（入稿データ）となる。
【０００４】
印刷前に顧客が校正を行う場合、入稿データをプリントしたものを提供するか、入稿データそのものを、メール等にて送付し、レイアウトを確認してもらう。その際、使用する写真の差し替え指示や、写真の拡大、縮小、回転、トリミング等、配置に関しての修正の要望は、コメントなど文字によって行われることが多く、顧客から事業者への説明、伝達が難しく煩雑でありかつ間違いが起きやすい。
【発明の概要】
【発明が解決しようとする課題】
【０００５】
jpeg，pdfなどの印刷用データは、１ページ（または１見開き）、１枚の画像として固定化されるため、ページ内に含まれる写真群は、通常再編集はできない。
【０００６】
本発明は、入稿データを対象として、顧客等が、使用する写真の差し替え、写真の拡大、縮小、回転、トリミング等、再編集を可能にすることで、校正作業における手間やミスを削減することを実現する装置、方法およびプログラムを提供することを目的とする。
【課題を解決するための手段】
【０００７】
本発明に係る入稿データ再編集装置は、複数の原写真画像から選択され、画像処理を施された第１写真画像がテンプレートの画像枠に嵌め込まれ、テンプレートのテキスト枠に第１文字列が嵌め込まれてなる単一ファイルとしての入稿データと複数の原写真画像に関するデータとを記憶する記憶部を有する。入稿データから第１写真画像を分離し、画像枠を同定する。複数の原写真画像から、分離された第１写真画像に対応する特定の原写真画像を抽出する。特定の原写真画像に対してユーザ指示に従って画像処理を実行し、第２写真画像を生成する。第２写真画像を入稿データの画像枠に嵌め込み、入稿データを再生成する。
【発明の効果】
【０００８】
本発明によれば、入稿データを再編集することができ、さらに入稿データを校正する顧客等が、使用する写真の差し替え、写真の拡大、縮小、回転、トリミング等、再編集を可能にすることで、校正作業における手間やミスを削減することができる。
【図面の簡単な説明】
【０００９】
【図１】本発明に係る入稿データ再編集装置５０を含む入稿データ再編集システム及びフォトブック作成システムを示す概略図である。
【図２】図１の顧客側情報処理端末４０の入稿データの写真領域５４１に表示される写真を編集するための写真編集画面５４０を示す図である。
【図３】図１の入稿データ生成装置３０により実行される入稿データを生成する処理を説明するための模式図である。
【図４】図１の入稿データ再編集装置５０の構成を示すブロック図である。
【図５】図１の入稿データ再編集装置５０により実行される入稿データ再編集処理を示すフローチャートである。
【図６】図１の入稿データ再編集装置５０により実行される入稿データを再編集する処理を説明するための模式図である。
【発明を実施するための形態】
【００１０】
以下、本発明の具体的な実施の形態について添付の図面を参照しながら説明する。用語を次の通り定義する。
【００１１】
フォトブック：典型的には複数の台紙に写真や文字列を貼り付けてなる写真集であるが、単一の台紙又は二つ折りの台紙に写真を貼り付けただけの簡易な写真シートを含む。  
写真画像：デジタルカメラで撮影した画像データをいう。  
テンプレート：写真画像をレイアウトする画像枠やテキスト枠が予め組まれている枠組みデータである。イラストやテキストなどが予め組み込まれていることもある。  
台紙：フォトブックの入稿データから写真画像や文字列を分離したものを単に台紙という。  
入稿データ：テンプレートの画像枠に任意の写真画像を嵌め込み、テキスト枠に任意の文字列を嵌め込み、全体を特定のファイル形式に変換して単一ファイル化したものをいう。
【００１２】
本実施形態の概略として、入稿データから写真画像を同定するとともに、入稿データを写真画像の部分と台紙の部分とに分離する。次に入稿データから分離した写真画像を、結婚式等で撮影した全ての複数の原写真画像に対して個々に照合し、入稿データから分離した写真画像の元になった原写真画像を特定する。校正作業者である顧客の指示により、特定された原写真画像を、任意に拡大、縮小、回転、トリミングし、台紙の画像枠に再度嵌め込む。なお、特定された原写真画像を他の原写真画像に差し替えて、当該画像枠に嵌め込むことも可能である。校正確認完了後は、写真画像を台紙に再合成し、jpeg，pdfなどの特定のファイル形式で単一ファイルに変換し、印刷工程に受け渡される入稿データを再度生成する。
実施形態１．
図１に示す本実施形態に係る入稿データ再編集装置５０は、一旦確定し、生成された入稿データに対して再編集処理を実行する装置である。入稿データは、ユーザ（フォトブック依頼者（顧客））の指示に従ってフォトブック作成業者側のシステム（以下、フォトブック作成システムという。）で生成される。フォトブック作成システムには、フォトブック作成業者により用意された様々な台紙（テンプレート）のデータが保管されている。テンプレートには、好適に装飾された台紙に画像枠やテキスト枠がレイアウトされている。
【００１３】
ユーザはテンプレートを選択するとともに、複数の原写真画像から好ましい原写真画像を選択し、原写真画像を拡大／縮小し、トリミングし、色彩、明度等を修正し、そのような各種画像処理を施すとともに、位置調整しながら画像枠に嵌め込んでいく。原写真画像に対して拡大／縮小処理やトリミング処理などの画像処理を施された写真画像をここでは「第１写真画像」と称する。なお、後述する入稿データの再編集に際して、原写真画像に対して拡大／縮小処理やトリミング処理などの画像処理を施された写真画像を「第２写真画像」と称して、「第１写真画像」と区別する。
【００１４】
またユーザは適当な文字列を入力し、文字フォントを選択し、文字サイズを調整し、文字修飾を設定するとともに、テキスト枠に対する文字列の位置や向きを調整しながら、テキスト枠に嵌め込んでいく。この文字列をここでは「第１文字列」と称する。なお、後述する入稿データの再編集に際して、新たに入力された文字列、又は文字フォント、文字サイズ、文字修飾を再設定した第１文字列を「第２文字列」と称して、「第１文字列」と区別する。
【００１５】
なお、この段階では第１写真画像データ、第１文字列データが、それらのリンク情報が埋め込まれたテンプレートデータとともに複数のファイルとして分散記憶されている。
【００１６】
入稿に際しては、テンプレートに第１写真画像及び第１文字列が嵌め込まれた全体が単一のファイルに変換され、印刷工程に受け渡される入稿データとして生成される。入稿データでは、第１写真画像や第１文字列が紙に印刷するようにレイアウトされた状態が容易に改変できないように一体的に保存される。入稿データとしては典型的にはｐｄｆ（Portable Document Format）形式であり、あるいは全体が単一の画像データとしてJPEG、GIF、PNG、TIFF、BMPなどの画像ファイル形式に変換されている。
【００１７】
入稿データ再編集装置５０には、インターネット網（電子的公衆通信回線網）７０を介して、サーバ１０、原写真用情報処理端末２０、入稿データ生成装置３０、顧客側情報処理端末４０、印刷処理用情報処理端末６０が接続される。原写真用情報処理端末２０を介してカメラマンが撮影した複数の原写真画像に関するデータが取り込まれ、またそれら写真画像はカメラマン自身により適宜加工される。原写真用情報処理端末２０を介して取り込まれた複数の原写真画像に関するデータは、サーバ１０に保管される。サーバ１０には、原写真画像に関するデータの他に、複数のテンプレートに関するデータ、複数の文字列に関するデータ、さらに入稿データも保管される。
【００１８】
ユーザは、顧客側情報処理端末４０を操作して、テンプレートを選択し、各画像枠に対して複数の原写真画像から好ましい原写真画像を個別に選択し、画像枠に対する原写真画像の位置を調整し、原写真画像を拡大／縮小し、トリミングし、色彩、明度等を修正するために必要な指示を入力する。
【００１９】
図２は顧客側情報処理端末４０の写真画像の画像処理の操作画面例を示している。テンプレートの全体枠５４０上にレイアウトされている画像枠６０２に、原写真画像７０１が重ねて表示される。好適には、原写真画像７０１は画像枠６０２内の収まる画像部分だけが表示され、画像枠６０２からはみ出た部分については画面から消えるように制御される。ユーザは、ポインタ５４３を用いて移動ボタン５４４を操作して、固定された画像枠６０２に対して原写真画像７０１を相対的に移動することができる。
【００２０】
縮小拡大用のボタン５４５は、原写真画像を拡大縮小するためのスライダーボタンである。ユーザがボタン５４５を右下方向又は左上方向へ操作すると、その操作に応じて指定された拡大率／縮小率に従って、原写真画像７０１が拡大／縮小される。なお、タッチパネル方式でなく、マウス等でポインタ５４３を操作する場合には、ポインタ５４３にて各ボタン５４４、５４５を操作する。
【００２１】
ユーザは、顧客側情報処理端末４０を操作して、適当な文字列を入力し、文字フォントを選択し、文字サイズを調整し、文字修飾を設定するとともに、テキスト枠に対する文字列の位置や向きを調整するために必要な指示を入力する。また入稿データの再編集に際して、ユーザは、顧客側情報処理端末４０を操作して、画像枠に対する原写真画像の位置調整、原写真画像の拡大／縮小、トリミング、色彩、明度等の修正に必要な指示も入力する。同様に入稿データの再編集に際して、ユーザは、顧客側情報処理端末４０を操作して、文字列の再入力、文字フォント、文字サイズ及び文字修飾の再設定に必要な指示も入力する。
【００２２】
図３は図１の入稿データ生成装置３０により実行される入稿データの生成処理を説明するための模式図である。図３（ａ）において、入稿データ生成装置３０内に記憶されている複数種類のテンプレート（台紙）から、適当なテンプレート６０１が選択されると共に、サーバ１０に保管された複数の原写真画像に関するデータから、フォトブックに掲載したい複数の原写真画像７０１を選択する。これらの原写真画像７０１は、例えばｊｐｇ．形式の画像データである。テンプレート６０１には、写真画像を嵌め込むための画像枠６０２、テキスト枠８０２が設定されている。
【００２３】
図３（ｂ）において、各画像枠６０２にそれぞれ嵌め込む原写真画像７０１を選択し、画像枠に対する原写真画像７０１の位置を調整する。また原写真画像に対して、縮小あるいは拡大加工、トリミング、色彩、明度等の画像処理を行う。またテキスト枠８０２各々に対して文字列（コメント）として例えば「友人」「幼なじみ」等が入力される。テキスト枠に対する文字列の位置、そのレイアウト、文字フォント、文字サイズ、文字修飾等もユーザ指示に従って処理される。このような嵌め込み等の処理はフォトブックを構成する複数紙面分繰り返される。
【００２４】
最後に、図３（ｃ）のように、例えばｐｄｆ．形式等の電子的文書形式又はＴＩＦＦ等の画像ファイル形式に変換され、単一ファイルとしての入稿データ６１０が生成される。
【００２５】
図４は、上記入稿データ６１０に対して再編集処理を実行する入稿データ再編集装置５０の構成を示すブロック図である。入稿データ再編集装置５０は、制御部であるプロセッサ５０１と、ＲＡＭ（Random Access Memory）５０２と、ＲＯＭ（Read Only Memory）５０３と、入力コントローラ５０４と、ビデオコントローラ５０５と、Ｉ／Ｏコントローラ５０６と、通信コントローラ５０７と、入力デバイス５１０と、ディスプレイ５１１と、記憶部の一例である記憶装置５１２とを備えて構成される。
【００２６】
プロセッサ５０１は、システムバスに接続される各デバイスやコントローラを統括的に制御する。プロセッサ５０１は、例えばＣＰＵ（Central Processing Unit）、及びＧＰＵ（Graphics Processing Unit）により構成される。プロセッサ５０１は、ＲＡＭ５０２に記憶されたプログラムを実行して各種の機能を実現する。プロセッサ５０１は、後述する図５のフローチャートを実行する入稿データの再編集プログラムを実行することで、入稿データ６１０に対して再編集処理を実行する。
【００２７】
具体的には、プロセッサ５０１は、分離手段、抽出手段、編集手段、及び嵌め込み手段とを備えており、分離手段は、入稿データ６１０から第１写真画像７１０、それ以外の背景６１０ａを分離するとともに、その画像枠６０２を同定する（図６（ａ）及び図６（ｂ）参照）。
【００２８】
抽出手段は、複数の原写真画像７０１から、分離された第１写真画像７１０に対応する特定の原写真画像７０１、つまり第１写真画像７１０を生成するために用いられた元の原写真画像７０１を抽出する（図６（ｂ）及び図６（ｃ）参照）。例えば複数の原写真画像７０１各々に対して第１写真画像７１０を差分し、差分の二乗和を計算する。実際には原写真画像７０１に対して拡大縮小、トリミング等の画像処理が施されているので、解像度や範囲が相違している。そのため第１写真画像７１０の解像度を様々に変化させながら、且つ原写真画像７０１のフレーム内で第１写真画像７１０を移動しながらその各位置で差分し、差分の二乗和を計算するとともに、それらの最小値を第１写真画像７１０に対する原写真画像７０１各々の整合指標値として同定する。複数の原写真画像７０１の整合指標値を比較し、最も低い整合指標値を示す原写真画像７０１を特定する。
【００２９】
なお、入稿データ内にある写真画像に該当する原写真画像を、複数の原写真画像から探し出す、つまり照合し、コンテンツマッチング（画像整合）の処理には実際には人工知能（ＡＩ:Artificial Intelligence）の技術が採用される。
【００３０】
編集手段は、ユーザ指示に従って、画像枠６０２に対して特定された原写真画像７０１を相対的に移動し、原写真画像７０１を拡大／縮小し、原写真画像７０１をトリミングし、その色彩、明度等を修正し、第２写真画像７１１を生成する（図６（ｃ）参照）。嵌め込み手段は、第２写真画像７１１を画像枠６０２に嵌め込む（図６（ｄ）参照）。第２写真画像７１１を画像枠６０２上の第１写真画像７１０に重畳し(superimpose)、又は差し替える(replace)ものであってもよい。
【００３１】
文字列の再編集についても同様に、分離手段は、入稿データ６１０の紙面上から文字列（第１文字列）とそれ以外の背景６１０ａとを分離し、第１文字列を包含する矩形等のテキスト枠を同定する。編集手段及び嵌め込み手段は、同意亭されたテキスト枠に対して文字列（第２文字列）を入力し、文字フォントを選択し、文字サイズを調整し、文字修飾を設定するとともに、テキスト枠に対する第２文字列の位置や向きを調整しながら、テキスト枠に嵌め込んでいく。実際には第２文字列はテキスト枠ごと第１文字列に重畳され、又は差し替えられる。なお、文字列に関する分離手段、編集手段及び嵌め込み手段は、写真画像に関する分離手段、編集手段及び嵌め込み手段と別途設けられることが好ましい。
【００３２】
ＲＡＭ５０２は、プロセッサ５０１の主メモリ、ワークエリア等として機能する。プロセッサ５０１は、処理の実行に際して必要なプログラム等をＲＯＭ５０３あるいは記憶装置５１２からＲＡＭ５０２にロードして、ロードしたプログラムを実行することで各種動作を実現する。
【００３３】
ＲＯＭ５０３あるいは記憶装置５１２は、プロセッサ５０１により実行されるＢＩＯＳ（Basic Input Output System）、オペレーティングシステムプログラム（ＯＳ）、入稿データ再編集プログラムを含む各種アプリケーションプログラム等の各種機能を実現するために必要な各種プログラム、各種プログラムで処理される各種ファイル、各種データ等が記憶される。当然、原写真画像７０１も記憶される。なお、記憶装置５１２は、例えば、ハードディスク（HDD: Hard Disk Drive）、ソリッドステートドライブ（SSD: Solid State Drive）、フロッピ（登録商標）ディスク等の磁気ディスク、ＣＤ（Compact Disc）、ＤＶＤ（Digital Versatile Disc）、ＢＤ（Blu-ray（登録商標）Disc）等の光ディスク、ＭＤ（Mini Disc）（登録商標）等の光磁気ディスク、またはメモリカード等のリムーバブルメディアを含む。
【００３４】
入力コントローラ５０４で、キーボード（ＫＢ）、マウスやタッチパネル等のポインティングデバイス等の入力デバイス５１０からの入力を制御する。
【００３５】
ビデオコントローラ５０５は、プロセッサ５０１の制御のもとで、ＬＣＤ（Liquid Crystal Display）等のディスプレイの表示を制御する。
【００３６】
Ｉ／Ｏコントローラ５０６は、記憶装置５１２へのアクセスを制御する。記憶装置５１２には、サーバ１０に格納された原写真画像７０１、入稿データ６１０、入稿データ６１０から切り出された写真画像データ７１０、入稿データ６１０から写真画像が切り出された後の背景６１０ａの画像データ等が記憶される。記憶装置５１２に記憶されたファイルやデータは、入稿データ再編集プログラムの実行に伴って、必要に応じて読み出されてＲＡＭ５０２に記憶される。
通信コントローラ５０７は、ネットワーク７０を介して入稿データの編集を指示するための顧客側の修正指示用の顧客側情報処理端末４０との通信を制御する。
【００３７】
以上のように構成された入稿データ再編集装置５０を含む入稿データ再編集システムの動作について以下に説明する。
【００３８】
図５は入稿データ再編集装置５０により実行される入稿データの再編集処理を示すフローチャートである。図６は図１の入稿データ再編集処理の補足図である。ステップＳ１において、ユーザは、顧客側情報処理端末４０を操作して、入稿データ再編集装置５０に、入稿データ再編集要求をユーザＩＤとその入稿データを識別する入稿ＩＤとともに入力する。ステップＳ２において、入稿データ再編集装置５０はユーザＩＤと入稿ＩＤとともに入稿データ６１０と当該ユーザに関連付けられている複数の原写真画像７０１のデータの送信要求をサーバ１０に送信する。ステップＳ３において、入稿データ再編集装置５０はサーバ１０から、入稿データ６１０と、複数の原写真画像７０１のデータを受信し、記憶装置５１２に記憶する。
【００３９】
ステップＳ４において、入稿データ再編集装置５０は入稿データ６１０を、第１写真画像７１０と背景６１０ａとに分離する（図６（ｂ））。換言すると第１写真画像７１０を抽出するとともに、その画像枠を特定する。ステップＳ５において、複数の原写真画像７０１から、分離された第１写真画像７１０を生成するために用いられた元の原写真画像７０１を特定する（図６（ｂ）及び図６（ｃ）参照）。なお、第１写真画像に対応しない他の原写真画像に差し替えることも可能である。
【００４０】
ステップＳ６において、入稿データ再編集装置５０は顧客側情報処理端末４０からのユーザ指示にしたがって、原写真画像７０１に対して各種画像処理を実行する。例えば、縮小あるいは拡大加工、所望範囲のトリミング加工、位置調整等、画像フィルタリングなどの処理を実行する。
【００４１】
ステップＳ７において、再編集された入稿データ６２０（図６（ｄ））を生成され、顧客側情報処理端末４０に送信される。この再編集された入稿データ６２０は、例えばｐｄｆ形式によるイメージデータである。
【００４２】
なお、ユーザが文字列の再編集を要求したときも同様に、入稿データ６１０の紙面上から文字列（第１文字列）を包含する矩形等のテキスト枠とそれ以外の背景６１０ａとを分離し、ユーザから受信した文字列（第２文字列）を入力し、文字フォントを選択し、文字サイズを調整し、文字修飾を設定するとともに、テキスト枠に対する第２文字列の位置や向きを調整しながら、テキスト枠に嵌め込む。
【００４３】
再編集された入稿データ６２０は顧客側情報処理端末４０の表示部に表示され、ユーザにより確認される。ステップＳ８において、ユーザから完了指示を受信したとき（ステップＳ８「ＹＥＳ」）、ステップＳ９に進み、再編集された入稿データ６２０を、印刷処理用情報処理端末６０に送信する（印刷工程に入稿する）。ステップＳ８において、ユーザから完了指示を受信しないとき（ステップＳ８「ＮＯ」）、ステップＳ６にリターンする。
【００４４】
このようにフォトブックの入稿データ６１０が一旦完成した後であっても、その入稿データ６１０に対して再編集処理を実行することができる。従来では、入稿データ６１０が一旦完成した後に、写真画像のトリミング範囲、画像枠に対する写真の位置、画像拡大率（縮小率）、画像フィルタリング仕様、文字列、文字フォント、文字サイズ、文字修飾を変更するとき、完成済みの入稿データを破棄して、テンプレートの選定、写真画像の選択、そのトリミング、文字入力などの作業を再度実行する必要があり、ユーザに多大な負担を強いるばかりか、変更箇所以外を同じ状態で再現することは難しかった。本実施形態によると、入稿データ６１０に対して再編集処理を実行することができるので、ユーザ負担が軽減され、また変更箇所以外を同じ状態で再現することができるとともに、入稿データを校正する顧客等が、使用する写真の差し替え、写真の拡大、縮小、回転、トリミング等、再編集を可能にすることで、再編集（校正作業）における手間やミスを削減することができる。
【００４５】
上記本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４６】
１０…サーバ、３０…入稿データ生成装置、４０…顧客側情報処理端末、５０…入稿データ再編集装置、５０１…プロセッサ、５１２…記憶装置、６０１…テンプレート、６０２…画像枠、６１０…入稿データ、６２０…再編集された入稿データ、７０１…原写真画像、７１０…第１写真画像、７１１…第２写真画像、８０２…テキスト枠。
【要約】      （修正有）【課題】写真の拡大等の再編集を可能にして校正作業における手間やミスを削減する入稿データ再編集装置、方法及びプログラムを提供する。【解決手段】入稿データ再編集装置５０は、複数の原写真画像から選択され、画像処理を施された第１写真画像がテンプレートの画像枠に嵌め込まれ、テンプレートのテキスト枠に第１文字列が嵌め込まれてなる単一ファイルとしての入稿データと複数の原写真画像に関するデータとを記憶する記憶装置５１２を含む。プロセッサ５０１の分離手段は、入稿データから第１写真画像を分離し、画像枠を同定する。プロセッサの抽出手段は、複数の原写真画像から、第１写真画像に対応する特定の原写真画像を抽出する。プロセッサの編集手段は、特定の原写真画像に対してユーザ指示に従って画像処理を実行し、第２写真画像を生成する。プロセッサの嵌め込み手段は、第２写真画像を入稿データの画像枠に嵌め込み、入稿データを再生成する。【選択図】図４【図１】
0006893712.tif 000002
【図２】
0006893712.tif 000003
【図３】
0006893712.tif 000004
【図４】
0006893712.tif 000005
【図５】
0006893712.tif 000006
【図６】
0006893712.tif 000007